(57)【要約】【課題】ゲーム機のキャビネットに対し前扉を、衝撃を受けずに円滑に開閉し施錠することができる施錠装置の受け金具を提供する。【解決手段】施錠装置４は、ゲーム機のキャビネット１側に取り付けた受け金具１０の係止部１２，１３に、鉤部材５，６が係止されて施錠される。基枠体９には支持ローラ８が軸支され、前扉２の閉鎖時に支持ローラ８が転動するためのローラ受け１４が受け金具１０の帯本体１１の対応箇所に揺動可能に装着される。ローラ受け１４は、前扉２を閉鎖する際、施錠装置４の支持ローラ８が接触しない状態で、支持ローラ８側の端部を下方に傾斜させた傾動位置で静止し、支持ローラ８がローラ受け１４上に載り転動して前扉２が閉じるに従い上側に回動する。【選択図】図２
2004173784.tif 000002
【特許請求の範囲】
【請求項１】
ゲーム機の前扉の内側に施錠装置が取り付けられ、該施錠装置には縦長の基枠体の上部と下部に鉤部材が傾動可能に枢支され、上下の鉤部材が基枠体内に摺動可能に配設された連結杆により連結され、該基枠体の中間部に設けたシリンダ錠の操作に応じて連結杆を介して上下の鉤部材を傾動させて解錠するように構成され、ゲーム機のキャビネット側に取り付けた受け金具の係止部に、該鉤部材が係止されて施錠される施錠装置の受け金具において、
該基枠体には支持ローラが軸支され、前扉の閉鎖時に該支持ローラが転動するためのローラ受けが該受け金具の帯本体の対応箇所に揺動可能に装着され、該ローラ受けは、前扉を閉鎖する際、該施錠装置の支持ローラが接触しない状態で、支持ローラ側の端部を下方に傾斜させた傾動位置で静止し、該支持ローラが該ローラ受け上に載り転動して該前扉が閉じるに従い上側に回動することを特徴とする施錠装置の受け金具。
【請求項２】
前記ローラ受けの受け板には、前記支持ローラが前扉の閉鎖時に最初に接触する側に、斜め下方に傾斜した前部曲げ部が形成されていることを特徴とする請求項１記載の施錠装置の受け金具。
【請求項３】
前記ローラ受けは、受け金具の帯状本体の側面に突設された支持板部に、三角孔を係合して揺動可能に支持され、ガイドピンをガイド孔に係合させたガイド部が所定の角度範囲で該ローラ受けを揺動させるように設けられたことを特徴とする請求項１記載の施錠装置の受け金具。
【請求項４】
前記ローラ受けは、受け金具の帯本体の側面に軸ピンにより揺動可能に支持され、該帯本体の一部に突設されたガイド板に、ローラ受けの一部に設けた切り欠きを係合させて揺動範囲を制限するようにしたことを特徴とする請求項１記載の施錠装置の受け金具。
【発明の詳細な説明】
【０００１】
【発明の属する技術分野】
本発明は、スロットマシン、パチンコ機等のゲーム機に使用される施錠装置の受け金具に関する。
【０００２】
【従来の技術】
例えば、パチンコホールなどで使用されるスロットマシンは、通常、矩形箱形のキャビネットの前面に前扉が設けられ、側部に設けた蝶番を介して開閉可能とされ、前扉の自由端に縦に施錠装置が取り付けられる。そして、前扉の閉鎖時には、キャビネット側に取り付けた受け金具に施錠装置の鉤部材が係止され、施錠される。
【０００３】
施錠装置は、前扉の自由端側の内側に縦に固定され、その上部と下部に突設された鉤部材に対向して、ゲーム機のキャビネット側に受け金具が設けられ、前扉を閉じると、前扉側の施錠装置の鉤部材がキャビネット側の受け金具に係止されて前扉が施錠されるが、前扉には重量の重い電気機械部品が取り付けられているため、使用によって前扉の位置がその自重でキャビネットに対し下がり易い。このように、前扉の位置が下がると、前扉がキャビネットに対して閉鎖できなくなり、また、受け金具と鉤部材の係合不良が生じ、適正な施錠ができなくなるばかりか、前扉の底部がキャビネットの底部に当るために、前扉を開く際には、大きな摩擦抵抗が生じて、開操作が円滑にできなくなる不具合があった。
【０００４】
そこで、本発明者らは、従来、下記特許文献１において、施錠装置の基枠体の下部に支持ローラを設け、受け金具に滑り板を設け、前扉を閉じる際に、滑り板上に支持ローラを載せて転動させ、これにより、前扉を僅かに持ち上げるようにしながら、前扉を閉鎖する施錠装置を提案した。
【０００５】
【特許文献１】
実公平７−３００６０号公報
【０００６】
【発明が解決しようとする課題】
この施錠装置に使用される受け金具は、その滑り板が略水平に固定され、滑り板の前部が下方に傾斜して形成されているものの、前扉の下がり幅が比較的大きい場合、前扉を閉じたとき、支持ローラが受け金具の滑り板の前端部に当り、その際、支持ローラや受け金具が衝撃を受け易いという問題があった。
【０００７】
本発明は、上記の点に鑑みてなされたもので、ゲーム機のキャビネットに対し前扉を、衝撃を受けずに円滑に開閉し施錠することができる施錠装置の受け金具を提供することを目的とする。
【０００８】
【課題を解決するための手段】
上記目的を達成するために、本発明の施錠装置の受け金具は、ゲーム機の前扉の内側に施錠装置が取り付けられ、施錠装置には縦長の基枠体の上部と下部に鉤部材が傾動可能に枢支され、上下の鉤部材が基枠体内に摺動可能に配設された連結杆により連結され、基枠体の中間部に設けたシリンダ錠の操作に応じて連結杆を介して上下の鉤部材を傾動させて解錠するように構成され、ゲーム機のキャビネット側に取り付けた受け金具の係止部に、鉤部材が係止されて施錠される施錠装置の受け金具において、基枠体には支持ローラが軸支され、前扉の閉鎖時に支持ローラが転動するためのローラ受けが受け金具の帯本体の対応箇所に揺動可能に装着され、ローラ受けは、前扉を閉鎖する際、施錠装置の支持ローラが接触しない状態で、支持ローラ側の端部を下方に傾斜させた傾動位置で静止し、支持ローラがローラ受け上に載り転動して前扉が閉じるに従い上側に回動することを特徴とする。
【０００９】
ここで、請求項２のように、上記ローラ受けの受け板には、支持ローラが前扉の閉鎖時に最初に接触する側に、斜め下方に傾斜した前部曲げ部を形成することができる。
【００１０】
また、請求項３のように、上記ローラ受けは、受け金具の帯状本体の側面に突設された支持板部に、三角孔を係合して揺動可能に支持され、ガイドピンをガイド孔に係合させてなるガイド部を、所定の角度範囲でローラ受けを揺動させるように設けることができる。
【００１１】
また、請求項４のように、上記ローラ受けは、受け金具の帯本体の側面に軸ピンにより揺動可能に支持され、帯本体の一部に突設されたガイド板に、ローラ受けの一部に設けた切り欠きを係合させて揺動範囲を制限することができる。
【００１２】
【作用】
このように構成された施錠装置の受け金具は、施錠装置を固定した前扉を、受け金具が固定されたゲーム機のキャビネットに対し閉じると、施錠装置の上下の鉤部材が、受け金具の係止部に当接しながら回動し係止部に係止され、施錠状態となる。この前扉の閉鎖時に、施錠装置に設けた支持ローラが、受け金具のローラ受けに乗って転動しながら施錠される。前扉を閉じる前の、通常状態の受け金具のローラ受けは、その前部が下方に傾斜して静止しているので、その状態で前扉を閉じると、施錠装置側の支持ローラは、傾斜した状態の受け板の前部のレベルに合わせて位置しており、その前部を下方に傾斜させた受け板の上に容易に乗り上げることができる。このとき、受け金具のローラ受けは、受け板を後方に引きながら持ち上げその傾斜を水平に戻すように、支持板部の上端を支点に後方に回動する。
【００１３】
したがって、前扉を閉じたときの支持ローラの力は、衝撃力にならずに、ローラ受けを後方に回動させるように、つまり受け板を水平位置に戻すように作用し、キャビネットに対し前扉を完全に閉じた状態では、支持ローラは、ローラ受けの受け板によって持ち上げられ、その上に載置された状態で、前扉の閉鎖が完了する。よって、前扉の位置が多少下がった状態でも、衝撃を生じさせずに、施錠装置側の支持ローラを受け金具側のローラ受けに乗せ、前扉を円滑に閉じることができる。
【００１４】
【発明の実施の形態】
以下、本発明の実施の形態を図面に基づいて説明する。図１は施錠装置の受け金具１０の正面図を示し、図２はその右側面図を示している。受け金具１０は、スロットマインなどのゲーム機のキャビネットの内側前縁部に、後述の施錠装置の対応した位置に合わせて、縦に固定される。受け金具１０は、図１、図２に示すように、縦長の帯状金属板からなる帯本体１１の上部と中間部に、係止部１２、１３を断面Ｌ形に曲げて突設し形成される。帯本体１１には複数の取付孔が穿設され、帯本体１１を取付孔と固定ねじによりキャビネット１の内側部に取り付けた際、係止部１２、１３が正面を向くように形成される。
【００１５】
また、係止部１２の下側の帯本体１１の側面に、ローラ受け１４が揺動可能に装着されている。ローラ受け１４は、図４、図５に示すように、所定形状に裁断した鋼板の上部を、水平に折り曲げた受け板１５を設け、受け板１５の前部に斜め下方に傾斜した前部曲げ部１８を形成し、略中央部に三角形状の三角孔１６を設けて構成される。受け板１５は、後述の支持ローラを受けて転動させる板であり、三角孔１６はこのローラ受け１４を揺動可能に支持させるために形成される。つまり、帯本体１１の側面には凸状の支持板部１７が縦に突設され、ローラ受け１４の三角孔１６がこの凸状の支持板部１７に嵌め込まれ、ローラ受け１４は所定の角度範囲で揺動可能に支持される。
【００１６】
また、ローラ受け１４の前部は、その重心位置を前部に偏倚させるために、その前部を少し膨出して形成されている。これにより、ローラ受け１４の重心位置は前部（図２の右側）に偏倚することになり、図２のようにローラ受け１４は、通常状態で、その前部を下方に下げるように、つまり受け板１５の前部を下方に傾斜して静止する。さらに、ローラ受け１４の下部には、ガイド孔１９が形成され、そのガイド孔１９に挿通されたガイドピン２０が、帯本体１１の所定位置にかしめなどで固定される。このガイド孔１９、及び三角孔１６の幅によって、ローラ受け１４の揺動範囲が所定の角度に制限され、ローラ受け１４がこの角度範囲で揺動可能とされる。
【００１７】
このような受け金具１０は、図５に示すように、キャビネット１の開口前部の内側縁部に縦に固定される。固定された受け金具１０のローラ受け１４は図５のように、その前部を斜め下方に向けて傾斜し、静止する。
【００１８】
一方、施錠装置４は、図６に示すように、取付板と支持板を横断面Ｌ形に成形してなる基枠体９を有し、その支持板の上部と下部に、鉤部材５、６が傾動可能に枢支され、基枠体９内に摺動可能に配設した連結杆により上下の鉤部材５、６が連結される。シリンダ錠７が基枠体の中間部に筒体を介して取り付けられ、その錠軸の先端に取り付けたカム板を連結杆に連結させ、シリンダ錠７のキー操作によりカム板を回動させ、連結杆を介して上下の鉤部材５、６を下側に傾動させ、解錠する構造である。
【００１９】
施錠装置４は、図７のように、ゲーム機の前扉２の内側にキャビネット側を向けて縦に固定される。施錠装置４のシリンダ錠７の上面は、前扉２の前面の露出し、前扉２の前面側から操作される。また、基枠体９の支持板の下部、つまり鉤部材６の下側には、閉鎖時に受け金具１０側のローラ受け１４に載って前扉２を支持するための支持ローラ８が回転自在に軸支されている。支持ローラ８は、その上下位置が、受け金具１０側の前に傾斜した状態の受け板１５の前部のレベルに合わせて配置されている。
【００２０】
このように構成された施錠装置４とその受け金具１０は、受け金具１０を取り付けたキャビネット１に対し、施錠装置４を取り付けた前扉２を閉じると、施錠装置４の上下の鉤部材５、６が、受け金具１０の係止部１２、１３に当接しながら下方に回動し、図示しないコイルばねの付勢力により再び水平位置に戻るように動作して係止部１２，１３に係止され、施錠状態となる。このような前扉２の閉鎖時には、施錠装置４の下部に設けた支持ローラ８が、受け金具１０のローラ受け１４に乗って転動しながら施錠され、重量のある前扉２であって下がり易い場合でも、前扉２を最終段階で持ち上げるように作用して、確実に前扉２を閉じて施錠することができる。
【００２１】
すなわち、前扉２を閉じる前の、通常状態の受け金具１０では、図７、図８に示すように、ローラ受け１４は、その前部が下方に傾斜して静止しているので、その状態で前扉２を閉じると、図８の如く、施錠装置４側の支持ローラ８は、その上下位置が前に傾斜した状態の受け板１５の前部のレベルに合わせて位置するため、その前部に当り受け板１５の上に乗り上げる。このとき、受け金具１０のローラ受け１４は、受け板１５を後方に引きながら持ち上げるその傾斜を水平に戻すように、支持板部１７の上端を支点に後方に回動する。
【００２２】
また、仮に何らかの理由でローラ受け１４が前方に傾斜せずに、受け板１５を水平にして静止した状態であっても、前部曲げ板１８が前方下側に傾斜するように曲げて形成されているから、支持ローラ８がこの前部曲げ部１８を経て円滑に受け板１５上に乗り上げることができる。
【００２３】
したがって、前扉２を閉じたときの支持ローラ８の力は、衝撃力にならずに、ローラ受け１４を後方に回動させるように、つまり受け板１５を水平位置に戻すように作用し、キャビネット１に対し前扉２を完全に閉じた状態では、図８の左端のように、支持ローラ８は、ローラ受け１４の受け板１５によって持ち上げられ、その上に載置された状態で、前扉２の閉鎖が完了する。
【００２４】
このように、前扉２の位置が多少下がった状態でも、衝撃を生じさせずに、施錠装置４側の支持ローラ８を受け金具１０側の受け板１５に乗せ、前扉２を円滑に閉じることができる。また、このとき、施錠装置４の鉤部材５，６は、受け金具１０の係止部１２、１３に当接しながら下方に回動し、図示しないコイルばねの付勢力により再び水平位置に戻るように動作して係止部１２，１３に係止され、施錠状態となる。
【００２５】
一方、前扉２を開く場合は、キーをシリンダ錠７に差し込み回すと、図示しないカム板が回動し、連結杆に係合してそれを上方に摺動させる。これの連結杆の上方への摺動により、上下の鉤部材５，６が下方に傾動して、受け金具１０の係止部１２，１３との係合が外れ、前扉２は解錠される。そして、前扉２を手前に引けば、支持ローラ８がローラ受け１４の受け板１５上を転動して前扉２は容易に開放される。
【００２６】
なお、上記実施形態では、ローラ受け１４はその重心位置の偏倚により、つまりその自重により、その受け板１５の前部を下方に傾斜させて静止するようにしたが、弱いばね力のばねをローラ受け１４に装着して、その受け板１５の前部を下方に傾斜させて静止するように、ばねで付勢することもできる。
【００２７】
また、上記実施形態では、ローラ受け１４をその三角孔１６と支持板部１７との係合により揺動可能に支持したが、図９〜図１１に示すように、ローラ受け３４を軸ピン３７により軸支することもできる。この場合、ローラ受け３４の下部に切り欠き３９を形成し、帯本体１１の側面に突設したガイド板４０をその切り欠き３９に係合させ、ローラ受け３４の揺動範囲を制限する。
【００２８】
このローラ受け３４は、上記と同様、図９〜図１１のように、その上部に受け板３５が形成され、受け板３５の前部に前に曲げるように傾斜して、前部曲げ板３８が形成され、前扉２の閉鎖時には、施錠装置側の支持ローラ８が、その受け板３５の上に良好に乗り上げ、ローラ受け３４が上方に回動して、前扉２を持ち上げるように支持して閉じることができる。
【００２９】
【発明の効果】
以上説明したように、本発明の施錠装置の受け金具によれば、ローラ受けは、前扉を閉鎖する際、施錠装置の支持ローラが接触しない状態で、支持ローラ側の端部を下方に傾斜させた傾動位置で静止し、支持ローラがローラ受け上に載り転動して前扉が閉じるに従い上側に回動するため、その前部を下方に傾斜させた受け板の上に容易に乗り上げることができ、前扉を閉じたときの支持ローラの力は、衝撃力にならずに、ローラ受けを後方に回動させるように、つまり受け板を水平位置に戻すように作用し、キャビネットに対し前扉を完全に閉じた状態では、支持ローラは、ローラ受けの受け板によって持ち上げられ、前扉の位置が多少下がった状態でも、衝撃を生じさせずに、施錠装置側の支持ローラを受け金具側のローラ受けに乗せ、前扉を円滑に閉じることができる。
【図面の簡単な説明】
【図１】本発明の一実施形態を示す施錠装置の受け金具の正面図である。
【図２】同受け金具の左側面図である。
【図３】ローラ受け１４が水平位置に回動した状態の受け金具の左側面図である。
【図４】ローラ受け１４の側面図である。
【図５】ローラ受け１４を受け金具１０に装着する際の背面図である。
【図６】施錠装置４の左側面図である。
【図７】ゲーム機に装着された状態の施錠装置と受け金具の左側面図である。
【図８】前扉を閉鎖する際のローラ受け１４の状態を示す説明図である。
【図９】他の実施形態のローラ受け２４の側面図である。
【図１０】ローラ受け２４を受け金具１０に装着する際の背面図である。
【図１１】前扉を閉鎖する際のローラ受け２４の状態を示す説明図である。
【符号の説明】
１−キャビネット
２−前扉
４−施錠装置
５、６−鉤部材
７−シリンダ錠
８−支持ローラ
９−基枠体
１０−受け金具
１１−帯本体
１２、１３−係止部
１４−ローラ受け
１５−受け板
【図１】
2004173784.tif 000003
【図２】
2004173784.tif 000004
【図３】
2004173784.tif 000005
【図４】
2004173784.tif 000006
【図５】
2004173784.tif 000007
【図６】
2004173784.tif 000008
【図７】
2004173784.tif 000009
【図８】
2004173784.tif 000010
【図９】
2004173784.tif 000011
【図１０】
2004173784.tif 000012
【図１１】
2004173784.tif 000013